(57)【要約】【課題】簡易な構成で、容易にケーブルを接続できる分岐コネクタおよび分岐ケーブルを提供する。【解決手段】分岐コネクタは、複数のケーブル４同士を互いに電気的に接続する端子部２と、端子部２を収容するハウジング１と、を備える。ハウジング１は、ケーブル４を挿通し、ケーブル４の端部を端子部２に案内する挿通孔１４を備える。挿通孔１４の近傍に設けられたケーブル固定機構３が、挿通されたケーブル４を固定する。【選択図】図２
2014056705.tif 000002
【特許請求の範囲】
【請求項１】
複数のケーブル同士を互いに電気的に接続する端子部と、
前記端子部を収容するハウジングと、を備え、
前記ハウジングは、前記ケーブルを挿通し、前記ケーブルの端部を前記端子部に案内する挿通孔を備え、
前記挿通孔の近傍に設けられ、挿通された前記ケーブルを固定するケーブル固定機構を備えた分岐コネクタ。
【請求項２】
前記ケーブル固定機構は、
前記ケーブルを挿通するキャップと、
前記キャップに内嵌した状態で前記ケーブルを挿通する略筒状のクランプ部材と、を備え、
前記ケーブルの挿通方向下流側への前記クランプ部材の移動を規制する移動規制機構を備え、
前記クランプ部材は、前記ケーブルの挿通方向上流側の端部から切込みが形成され、
前記キャップの内面は、前記クランプ部材の前記挿通方向上流側の端部に当接し、前記挿通方向上流側ほど内径が小さくなるテーパー面を備える請求項１記載の分岐コネクタ。
【請求項３】
前記ハウジングは、内部に前記挿通孔が形成され、外方に突出する略円柱状の挿通凸部を備え、
前記挿通凸部の外周面にはネジ溝が形成され、
前記キャップの内面には前記挿通凸部のネジ溝に螺合するネジ溝が形成されている請求項２記載の分岐コネクタ。
【請求項４】
前記ケーブル固定機構は、前記ケーブルの挿通方向下流側から前記クランプ部材に内嵌した状態で前記ケーブルを挿通するシール部材を備え、
前記シール部材は、
前記クランプ部材の内径と略同一の外径を有する筒状部と、
当該筒状部の前記ケーブルの挿入方向下流側に設けられ、前記クランプ部材の外径よりも大きい外径を有する当接部と、を備え、
前記挿通凸部は、
前記シール部材の前記当接部の外径と略同一の内径を有する大径部と、
前記大径部よりも前記挿通方向下流側に設けられ、前記シール部材の前記当接部の外径よりも小さな内径を有する小径部と、を備える請求項３記載の分岐コネクタ。
【請求項５】
前記端子部は、複数のケーブルの各々を接続する複数の接続端子と、当該複数の接続端子を電気的に接続する導通接続部と、を備え、
前記接続端子と、前記導通接続部とは別体に構成されている請求項１から４のいずれか一項に記載の分岐コネクタ。
【請求項６】
複数の前記挿通孔が、前記ハウジングの第１側壁と、前記ハウジングの前記第１側壁に対向する第２側壁とに設けられ、
前記端子部は、前記第１側壁および前記第２側壁の側からも前記ケーブルを接続可能に構成されている請求項１から５のいずれか一項に記載の分岐コネクタ。
【請求項７】
前記端子部は、
前記第１側壁側および前記第２側壁側に開口する略円筒状の基部と、
前記基部から前記第１側壁側または第２側壁側に延びる略円錐面状のクランプ部と、を備え、
前記クランプ部は、
前記基部と反対側の端部に開口し、
前記開口から切込みが形成されている請求項６記載の分岐コネクタ。
【請求項８】
前記複数のケーブルと同数の、前記挿通孔と、前記ケーブル固定機構と、を備えている請求項１から７のいずれか一項に記載の分岐コネクタ。
【請求項９】
請求項１から８のいずれか一項に記載の分岐コネクタを備え、
前記ケーブルの端部には接続ピンが設けられ、
前記接続ピンは、前記挿通孔に挿通されるとともに、前記端子部に電気的に接続されるように構成されている分岐ケーブル。
【発明の詳細な説明】
【技術分野】
【０００１】
本発明は、電子機器等の配線に用いられるケーブルの分岐コネクタ、および、分岐コネクタによりケーブルを分岐接続した分岐ケーブルに関する。
【背景技術】
【０００２】
分岐コネクタによってケーブルが接続された分岐ケーブルは、１入力を複数出力に分岐させたり、複数入力を１出力に統合したりすることができる。そのため、電子機器の配線等をはじめ、様々な箇所で用いられている。例えば、複数の太陽電池モジュールから出力される電力を一箇所に集電するために用いられている。
【０００３】
このような分岐コネクタまたは分岐ケーブルとして、例えば特許文献１，２に記載されたものが知られている。
【０００４】
引用文献１には、幹線ケーブルの中間部分に分岐接続部（分岐コネクタ）を設ける旨が開示されている。この分岐接続部の内部で幹線ケーブルと分岐ケーブルとが電気的に接続されている。また、引用文献１は、分岐接続部とケーブルとにコネクタ構造を設け、このコネクタ構造によって分岐接続部とケーブルとを接続する旨も開示している。
【０００５】
特許文献２に記載された分岐用コネクタは、略凸形の箱状の絶縁筐体と、絶縁筐体の凸形の先端側から突出した雌側プラグと、絶縁筐体の凸形の後端側から並んで突出した２つの雄側プラグとを備えている。また、絶縁筐体の内部には、雌側端子金具と２つの雄側端子金具が取り付けられた略Ｙ字形の導体板が収容されている。このように構成された分岐用コネクタに対して、雄側プラグや雌側プラグが取り付けられたハーネス（ケーブル）が接続される。
【先行技術文献】
【特許文献】
【０００６】
【特許文献１】特開２００３−３１８４２９号公報
【特許文献２】特開２０１０−１７０９４６号公報
【発明の概要】
【発明が解決しようとする課題】
【０００７】
引用文献１のように、ケーブルの中間部分に分岐コネクタを設け、その内部でケーブル同士を電気的に接続する場合には、予め分岐コネクタとケーブルとの接続を行っておく必要がある。そのため、実際に使用する現場で組立を行うことができず、ケーブルの長さの調整などを行うことが困難である。
【０００８】
一方、コネクタ構造によって、分岐コネクタとケーブルとを接続する場合には、実際に使用する現場で分岐コネクタとケーブルとを接続することは可能である。しかしながら、ケーブルの長さを調整する場合には、ケーブルに設けられたコネクタ構造を付け直す必要があり、作業が煩雑となる。また、分岐コネクタやケーブルにコネクタ構造を形成する必要があるため、製造コストの増大を招く。
【０００９】
本発明は上記課題に鑑みてなされたものであり、その目的は、簡易な構成で、容易にケーブルを接続できる分岐コネクタおよび分岐ケーブルを提供することである。
【課題を解決するための手段】
【００１０】
前記課題を解決するために、本発明の分岐コネクタは、複数のケーブル同士を互いに電気的に接続する端子部と、前記端子部を収容するハウジングと、を備え、前記ハウジングは、前記ケーブルを挿通し、前記ケーブルの端部を前記端子部に案内する挿通孔を備え、前記挿通孔の近傍に設けられ、挿通された前記ケーブルを固定するケーブル固定機構を備えている。
【００１１】
この構成では、ハウジングに形成された挿通孔を介して、ケーブルがハウジング内部の端子部に案内され、接続される。このようにして接続されたケーブルをケーブル固定機構によって固定する。すなわち、この構成では、挿通孔へのケーブルの挿通、ケーブルと端子部との接続、ケーブル固定機構によるケーブルの固定、という作業のみで分岐ケーブルを組み立てることができる。また、コネクタ構造等を備えないため、製造コストの増大を抑制することもできる。
【００１２】
本発明の分岐コネクタの好適な実施形態では、前記ケーブル固定機構、前記ケーブルを挿通するキャップと、前記キャップに内嵌した状態で前記ケーブルを挿通する略筒状のクランプ部材と、を備え、前記ケーブルの挿通方向下流側への前記クランプ部材の移動を規制する移動規制機構を備え、前記クランプ部材は、前記ケーブルの挿通方向上流側の端部から切込みが形成され、前記キャップの内面は、前記クランプ部材の前記挿通方向上流側の端部に当接し、前記挿通方向上流側ほど内径が小さくなるテーパー面を備えている。
【００１３】
この構成では、キャップをハウジング側（挿通方向下流側）に押し付けると、テーパー面がクランプ部材をハウジング側に押圧する。しかし、移動規制機構によってクランプ部材の移動が規制される。そうすると、テーパー面によって、クランプ部材の端部にはケーブル側への押圧力が作用する。これにより、ケーブルを保持固定することができる。すなわち、この構成では、キャップをハウジング側に押し付けるという動作で、ケーブルを保持固定することができる。
【００１４】
なお、上記構成において、さらに、前記ハウジングは、内部に前記挿通孔が形成され、外方に突出する略円柱状の挿通凸部を備え、前記挿通凸部の外周面にはネジ溝が形成され、前記キャップの内面には前記挿通凸部のネジ溝に螺合するネジ溝が形成されていると好適である。この構成では、キャップを締め付けるだけでケーブルを保持固定することができる。
【００１５】
本発明の分岐コネクタの好適な実施形態の一つでは、前記ケーブル固定機構は、前記ケーブルの挿通方向下流側から前記クランプ部材に内嵌した状態で前記ケーブルを挿通するシール部材を備え、前記シール部材は、前記クランプ部材の内径と略同一の外径を有する筒状部と、当該筒状部の前記ケーブルの挿入方向下流側に設けられ、前記クランプ部材の外径よりも大きい外径を有する当接部と、を備え、前記挿通凸部は、前記シール部材の前記当接部の外径と略同一の内径を有する大径部と、前記大径部よりも前記挿通方向下流側に設けられ、前記シール部材の前記当接部の外径よりも小さな内径を有する小径部と、を備えている。
【００１６】
この構成では、ハウジング側へのキャップの押し付けに伴って、クランプ部材がケーブル側に押圧されると、シール部材もともにケーブル側に押圧される。また、シール部材の当接部は小径部の端面に当接する。これにより、ケーブルの保持固定とともにケーブルとハウジングとの間をシールすることができる。また、この構成は、クランプ部材の移動を規制するため、移動規制機構としても機能する。
【００１７】
本発明の分岐コネクタの好適な実施形態の一つでは、前記端子部は、複数のケーブルの各々を接続する複数の接続端子と、当該複数の接続端子を電気的に接続する導通接続部と、を備え、前記接続端子と、前記導通接続部とは別体に構成されている。
【００１８】
この構成では、端子部を、複数の接続端子と、導通接続部と、によって構成しているため、ケーブル側の接続形態に応じた接続端子を用いることで、様々な接続形態を有するケーブルを接続することができる。
【００１９】
本発明の分岐コネクタの好適な実施形態の一つでは、複数の前記挿通孔が、前記ハウジングの第１側壁と、前記ハウジングの前記第１側壁に対向する第２側壁とに設けられ、前記端子部は、前記第１側壁および前記第２側壁の側からも前記ケーブルを接続可能に構成されている。
【００２０】
この構成では、いずれの方向からでも端子部に対してケーブルを接続できるため、利便性を向上することができる。
【００２１】
なお、前記端子部は、前記第１側壁側および前記第２側壁側に開口する略円筒状の基部と、前記基部から前記第１側壁側または第２側壁側に延びる略円錐面状のクランプ部と、を備え、前記クランプ部は、前記基部と反対側の端部に開口し、前記開口から切込みが形成されているように構成すると好適である。
【００２２】
この構成では、いずれの方向からのケーブルの先端部をクランプ部に挿入し、接続することができる。
【００２３】
本発明の分岐コネクタの好適な実施形態の一つでは、前記複数のケーブルと同数の、前記挿通孔と、前記ケーブル固定機構と、を備えている。この構成では、全てのケーブルがケーブル固定機構によって保持固定されるため、より利便性を向上させることができる。また、より製造コストの増大を抑制することもできる。
【００２４】
本発明の分岐ケーブルの好適な実施形の一つでは、上述したいずれかの分岐コネクタを備え、前記ケーブルの端部には接続ピンが設けられ、前記接続ピンは、前記挿通孔に挿通されるとともに、前記端子部に電気的に接続されるように構成されている。
【００２５】
この構成では、接続ピンを挿通孔に挿通するだけで、接続ピンと端子部とを接続することができる。また、接続ピンとケーブルとの接続は、コネクタ構造とケーブルとの接続に比べて簡便であるため、容易に接続ピンの着脱を行うことができる。そのため、実際の使用現場において、ケーブル長の調整等を容易に行うことができる。
【図面の簡単な説明】
【００２６】
【図１】実施例１における分岐ケーブルの斜視図である。
【図２】実施例１における分岐ケーブルの分解斜視図である。
【図３】分岐ケーブルのケーブル固定機構近傍の断面図である。
【図４】実施例２における分岐ケーブルの斜視図である。
【図５】実施例２における分岐ケーブルの分解斜視図である。
【図６】実施例２の変形例における分岐ケーブルの斜視図である。
【図７】実施例３における分岐ケーブルの斜視図である。
【図８】実施例３における分岐ケーブルの分解斜視図である。
【図９】実施例３の変形例における分岐ケーブルの斜視図である。
【発明を実施するための形態】
【００２７】
以下に図面を用いて本発明の分岐コネクタおよび分岐ケーブルの実施形態を説明する。なお、本実施形態の分岐コネクタは、１系統の入力を２系統に分岐、もしくは、２系統の入力を１系統に統合するために用いられるものである。そのため、分岐コネクタには３本のケーブルが接続されている。なお、分岐ケーブルとは、分岐コネクタにケーブルが接続されたものである。
【実施例１】
【００２８】
図１および図２は、それぞれ実施例１における分岐ケーブルの斜視図および分解斜視図である。本実施形態では、先端に接続ピン４１を設けたケーブル４（図２参照）と、分岐コネクタＡとを接続して、分岐ケーブルを構成している。
【００２９】
〔ハウジング〕
図に示すように、分岐コネクタＡは、樹脂製のハウジング１を備えている。ハウジング１は、ケーブル４の挿通方向に沿う軸芯を有する３つの略円筒状の部材が並列連結した外観形状を有している。本実施形態では、ハウジング１は第１ハウジング１１と第２ハウジング１２により構成されている。以下の説明では、第１ハウジング１１側を第１方向、第２ハウジング１２側を第２方向と称する。また、ケーブル４は分岐コネクタＡの外方側から内方側に向かって挿入されるため、外方側および内方側は、ケーブル４の挿通方向上流側および下流側と同意である。
【００３０】
図２に示すように、第１ハウジング１１の内方側の側壁には、内方に突出する嵌合凸部１１ｂが形成されている。一方、第２ハウジング１２の内方側の側壁には、嵌合孔１２ｂが形成されている。第１ハウジング１１と第２ハウジング１２とを組み合わせる際には、嵌合凸部１１ｂを嵌合孔１２ｂに内嵌させ、これらを溶着させる。これにより、ハウジング１が形成される。
【００３１】
図２に示すように、第１ハウジング１１の外方側の側壁（第１側壁１１ａ）には外方に突出する２つの挿通凸部１３が形成されている。一方、第２ハウジング１２の外方側の側壁（第２側壁１２ａ）には外方に突出する１つの挿通凸部１３が形成されている。第１側壁１１ａに形成された挿通凸部１３は、両端部の略円筒状の部材に設けられている。一方、第２側壁１２ａに形成された挿通凸部１３は、中央の略円筒状の部材に設けられている。また、各々の挿通凸部１３の外周面には後述するキャップ３１のネジ溝３１ａと螺合するネジ溝１３ａが形成されている。
【００３２】
これらの挿通凸部１３は、挿通凸部１３の突出方向に沿って貫通形成された挿通孔１４を備えている。この挿通孔１４は、ハウジング１を構成する略円筒状の部材の中空部分と連通している。また、嵌合凸部１１ｂも中空となっており、第１ハウジング１１の挿通凸部１３に形成された挿通孔１４は、嵌合凸部１１ｂの中空部分まで連通している。これにより、挿通孔１４を介してケーブル４をハウジング１の内部に案内し、ケーブル４と後述する端子部２とを接続することができる。
【００３３】
〔端子部〕
ハウジング１の内部には、端子部２が収容されている。端子部２は、各々のケーブル４と接続するとともに、ケーブル４どうしを電気的に接続する機能を有する。本実施形態の端子部２は、ケーブル４が接続されるケーブル接続部２１（本発明の接続端子の例）と、ケーブル接続部２１どうしを電気的に接続する導通接続部２２と、を備えている。本実施形態では、分岐コネクタＡに対して３本のケーブル４が接続されるため、ケーブル４と同数の３つのケーブル接続部２１が備えられている。
【００３４】
導通接続部２２は、導電性材料によって形成され、３つのリング状部２２ａと、隣接するリング状部２２ａどうしを連結する連結部２２ｂとを備えている。各リング状部２２ａは、第１ハウジング１１の嵌合凸部１１ｂの内方側の端面に当接し、嵌合凸部１１ｂの中空部分とリング状部２２ａに形成された挿通孔２２ｃとが連通するように構成されている。
【００３５】
ケーブル接続部２１は、導電性材料によって形成され、円筒状の基部２１ａと、基部２１ａから第１方向側に設けられたクランプ部２１ｂと、基部２１ａの第２方向側の周縁から径外方向に延出する接続片２１ｃとを備えている。基部２１ａの外径は挿通孔２２ｃの内径と略同一になっている。
【００３６】
ケーブル接続部２１と導通接続部２２とを組み合わせる際には、ケーブル接続部２１のクランプ部２１ｂから基部２１ａを導通接続部２２の挿通孔２２ｃに挿入する。このとき、ケーブル接続部２１の接続片２１ｃが導通接続部２２のリング状部２２ａの第２方向側の端面に当接する。これにより、ケーブル接続部２１の位置決めを行うことができる。さらに、ケーブル接続部２１と導通接続部２２との接触により、これらが電気的に接続されるとともに、ケーブル接続部２１どうしも電気的に接続される。
【００３７】
クランプ部２１ｂは、第１方向側の端面が開口するとともに、内部は中空になっている。すなわち、クランプ部２１ｂは先端が開口した略円錐面形状を有している。この開口部分の内径は、ケーブル４の接続ピン４１の外径よりも小さくなっている。また、クランプ部２１ｂの周面には第１方向側から複数の切込みが形成されている。このように構成されたクランプ部２１ｂに対して、第１方向側から案内されたケーブル４の接続ピン４１を挿入すると、クランプ部２１ｂが径外方向に向かって弾性変形する。このとき、クランプ部２１ｂには弾性復帰力が生じ、この弾性復帰力によって接続ピン４１を保持固定することができる。
【００３８】
基部２１ａの内径は、後述するケーブル４の接続ピン４１が挿入可能な大きさに設定されている。また、第２方向側から案内されたケーブル４の接続ピン４１は、クランプ部２１ｂの開口部分にまで達するように構成されている。そのため、第２方向側から案内されたケーブル４の接続ピン４１もクランプ部２１ｂによって保持固定される。
【００３９】
このように、本実施形態の端子部２、特にケーブル接続部２１では、第１方向および第２方向から案内されたケーブル４を接続し、保持固定することができる。
【００４０】
このように構成された端子部２は、クランプ部２１ｂが第１ハウジング１１の嵌合凸部１１ｂの挿通孔に挿入されるように、第１ハウジング１１に取り付けられる。その後、上述したように、第１ハウジング１１と第２ハウジング１２とが組み合わされ、ハウジング１が形成される。
【００４１】
〔ケーブル固定機構〕
本実施形態におけるケーブル固定機構３は、キャップ３１，クランプ部材３２、シール部材３３により構成されている。キャップ３１、略ナット状の外観形状を有し、その中心にはケーブル４を挿通する挿通孔が形成されている。クランプ部材３２は、略筒状であり、キャップ３１に内方側から内嵌するとともに、ケーブル４が挿通されるように構成されている。また、クランプ部材３２の周面には、外方側から複数の切込み３２ａが形成されている。
【００４２】
シール部材３３は、略筒状であり、クランプ部材３２の内径と略同一の外径を有する筒状部３３ａと、筒状部３３ａの内方側に位置し、筒状部３３ａの外径よりも大きな外径を有する当接部３３ｂとを備えている。シール部材３３は、内方側から筒状部３３ａをクランプ部材３２に内嵌させた状態で取り付けられる。このとき、当接部３３ｂの外方側の端面とクランプ部材３２の内方側の端面とが当接する。
【００４３】
図３は、第２ハウジング１２側のケーブル固定機構３近傍の断面図である。図に示すように、この挿通凸部１３に形成される挿通孔１４は、シール部材３３の当接部３３ｂの外径と略同一の内径を有する大径部１４ａと、大径部１４ａの内方側に位置し、当接部３３ｂの外径よりも小さな内径を有する小径部１４ｂと、により構成されている。したがって、シール部材３３を挿通孔１４に挿入すると、当接部３３ｂの内方側の端面が小径部１４ｂの外方側の端面に当接する。これにより、ハウジング１とケーブル固定機構３との間を水密にシールすることができる。また、この当接によって、シール部材３３の内方側への移動が規制される。このとき、クランプ部材３２の内方側の端面が当接部３３ｂに当接しているため、クランプ部材３２の内方側への移動も規制される。したがって、本実施形態では、小径部１４ｂとシール部材３３とによって、移動規制機構Ｂが構成されている。
【００４４】
図３に示すように、キャップ３１の内周面には、挿通凸部１３のネジ溝１３ａと螺号するネジ溝３１ａが形成されている。これにより、キャップ３１をハウジング１に固定することができる。
【００４５】
また、キャップ３１の内周面のネジ溝３１ａより外方側には、外方側ほど内径が小さくなるテーパー面３１ｂが形成されている。キャップ３１を挿通凸部１３に螺合する際に、キャップ３１を締め付け方向に回してゆくと、キャップ３１はハウジング１に近接する方向に移動してゆく。このとき、キャップ３１の内周面のテーパー面３１ｂにより、クランプ部材３２が内方側に押圧される。しかし、上述したように、クランプ部材３２は移動規制機構Ｂによって内方側への移動が規制される。そして、さらにキャップ３１を締め付けてゆくと、クランプ部材３２の外方側端部、すなわち、切込み３２ａが形成された部分が次第にケーブル４に対して押圧される。この押圧力によって、ケーブル４を固定保持することができる。また、この押圧力によって、クランプ部材３２に内嵌しているシール部材３３の筒状部３３ａがケーブル４側に押圧され、ケーブル４とシール部材３３（ケーブル固定機構３）との間をシールすることができる。
【実施例２】
【００４６】
図４および図５は、それぞれ実施例２における分岐ケーブルの斜視図および分解斜視図である。なお、実施例１と同様の部材には同じ符号を付し、詳細な説明は省略する。
【００４７】
図に示すように、本実施例の分岐ケーブルは、第１ハウジング１１に１つの挿通凸部１３と、１つのプラグ部５を備えている。プラグ部５に接続されるケーブル４の先端には、例えば、後述するソケット部６のような構成のソケットが設けられる。そのため、プラグ部５に対しては、ケーブル固定機構３は備えられていない。
【００４８】
プラグ部５は、ソケットに挿入される筒状部５１と、ソケットに係止される係止爪５２と、プラグ部５とソケットとの間をシールするＯリングからなるシール部材５３と、を備えている。
【００４９】
また、端子部２の３つのケーブル接続部２１のうち、プラグ部５に対応するケーブル接続部２１に代えて、ソケット接続部２３（本発明の接続端子の例）が用いられている。ソケット接続部２３は、ケーブル接続部２１と同様に、基部２３ａ、クランプ部２３ｂ、接続片２３ｃを備えている。ただし、基部２３ａの長さが基部２１ａよりも長く構成されており、クランプ部２３ｂの先端部がプラグ部５の筒状部５１先端部付近にまで到達している。
【００５０】
クランプ部２３ｂにケーブル４に設けられたソケットの接続ピンが挿入され、ケーブル４とソケット接続部２３とが電気的に接続される。また、ソケット接続部２３の接続片２３ｃが導通接続部２２と電気的に接続されるため、ソケット接続部２３と他のケーブル接続部２１とが電気的に接続される。
【００５１】
〔実施例２の変形例〕
図６は、実施例２の変形例における分岐ケーブルの斜視図である。この実施例では、第２ハウジング１２にのみ挿通凸部１３およびケーブル固定機構３が設けられており、第１ハウジング１１にはプラグ部５のみが設けられている。
【実施例３】
【００５２】
図７および図８は、それぞれ実施例３における分岐ケーブルの斜視図および分解斜視図である。なお、実施例１，２と同様の部材には同じ符号を付し、詳細な説明は省略する。
【００５３】
本実施例の分岐ケーブルは、実施例２のプラグ部５に代えてソケット部６が設けられている。なお、ソケット部６に接続されるケーブル４の先端には、例えば、上述のプラグ部５のような構成のプラグが設けられる。そのため、ソケット部６に対しては、ケーブル固定機構３は備えられていない。
【００５４】
ソケット部６は、筒状部５１のようなプラグの先端を挿入する筒状部６１と、筒状部６１の先端付近に設けられた係止孔６２と、を備えている。この係止孔６２に対して、例えば、係止爪５２のような係止部材が係止され、ソケット部６とプラグとを固定する。
【００５５】
本実施例の端子部２は、実施例２の端子部のソケット接続部２３に代えて、接続ピン２４（本発明の接続端子の例）が設けられている。導電性の接続ピン２４は、略円柱状であり、内方側の周縁から径外方向に延出する接続片２４ａを備えている。また、取り付けた状態で接続ピン２４の先端がソケット部６の先端付近まで達するように、接続ピン２４の長さが設定されている。
【００５６】
ソケット部６に接続されるケーブル４の先端にはプラグが設けられており、そのプラグにはクランプ部２１ｂや２３ｂ（図５参照）のようなクランプ部を有する接続ピンが備えられている。このプラグをソケット部６に挿入すると、プラグの接続ピンと接続ピン２４とが接触し、これらが電気的に接続される。また、接続ピン２４の接続片２４ａが導通接続部２２と電気的に接続されるため、接続ピン２４と他のケーブル接続部２１とが電気的に接続される。
【００５７】
〔実施例３の変形例〕
図９は、実施例３の変形例における分岐ケーブルの斜視図である。この実施例では、第２ハウジング１２にのみ挿通凸部１３およびケーブル固定機構１３が設けられており、第１ハウジング１１にはソケット部６のみが設けられている。
【００５８】
このように、本実施形態では、端子部２を接続端子（ケーブル接続部２１，ソケット接続部２３，接続ピン２４）と、導通接続部２２とを別体に構成することにより、端子部２の構成を変更するだけで、実施例１から３に記載したような接続形態に対応することができる。
〔別実施形態〕
（１）上述の実施形態では、ケーブル接続部２１と導通接続部２２とを別体に構成したが、これらを一体に構成しても構わない。
【００５９】
（２）実施例１，２では、第１ハウジング１１にプラグ部５やソケット部６を設けたが、これに代えて第２ハウジング１２にプラグ部５やソケット部６を設けても構わない。
【００６０】
（３）上述の実施形態では、ケーブル４の挿通方向に分離する第１ハウジング１１と第２ハウジング１２とによってハウジング１を構成したが、ケーブル４の挿通方向に直交する方向（図中上下方向）に分離する２つのハウジングによってハウジング１を構成しても構わない。このようなハウジング１では、ケーブル４と端子部２とを接続した後でハウジング１を組み立てることができるため、ケーブル４の先端に接続ピン４１を設けないような場合に適している。
【産業上の利用可能性】
【００６１】
本発明は、電子機器等の配線に用いるケーブルの分岐コネクタおよび分岐ケーブルに用いることができる。
【符号の説明】
【００６２】
Ａ：分岐コネクタ
Ｂ：移動規制機構
１：ハウジング
１１ａ：第１側壁
１２ａ：第２側壁
１３：挿通凸部
１３ａ：ネジ溝
１４：挿通孔
１４ａ：大径部
１４ｂ：小径部（移動規制機構）
２：端子部
２１：ケーブル接続部（接続端子）
２１ａ：基部
２１ｂ：クランプ部
２２：導通接続部
３：ケーブル固定機構
３１：キャップ
３１ａ：ネジ溝
３１ｂ：テーパー面
３２：クランプ部材
３２ａ：切込み
３３：シール部材（移動規制機構）
３３ａ：筒状部
３３ｂ：当接部
４：ケーブル
４１：接続ピン
【図１】
2014056705.tif 000003
【図２】
2014056705.tif 000004
【図３】
2014056705.tif 000005
【図４】
2014056705.tif 000006
【図５】
2014056705.tif 000007
【図６】
2014056705.tif 000008
【図７】
2014056705.tif 000009
【図８】
2014056705.tif 000010
【図９】
2014056705.tif 000011